(57)【要約】      （修正有）【課題】簡易な構造で、操作性よく使用できる錠剤取出補助具を提供する。【解決手段】錠剤落し用の１または複数の開口を有する本体１１の上に錠剤設置ガイド１２、本体１１の下に薬受け１３を備える。錠剤設置ガイド１２は本体１１との間にシート錠剤１４のシート部１４ａを挟持すると共に、開口に対向する位置にシート錠剤の封入部１４ｂを両側から保持するための保持部を有する。シート錠剤１４の封入部１４ｂの上部を指で押すことにより、封入部１４ｂから錠剤が下方に押し出されて薬受け１３内に落下する。【選択図】図５
0003197589.tif 000002
【実用新案登録請求の範囲】
【請求項１】
錠剤落し用の開口を有する本体と、
前記本体との間にシート錠剤のシート部を挟持すると共に、前記開口に対向する位置に前記シート錠剤の封入部を両側から保持するための保持部を有する錠剤設置ガイドと、
前記本体の開口から落下した錠剤を収容すると共に錠剤の取出口を有する薬受けと、
を備えた錠剤取出補助具。
【請求項２】
前記錠剤設置ガイドの保持部は丸形シート錠剤設置用であり、丸形状の錠剤の複数の大きさ（径）に対応できるよう中央側から周辺側にかけて拡がる扇形の開口形状を有する
請求項１に記載の錠剤取出補助具。
【請求項３】
前記錠剤設置ガイドの保持部の縁部に順テーパ状の傾斜面を有する
請求項１または２に記載の錠剤取出補助具。
【請求項４】
錠剤落し用の第１開口および第２開口を有する本体と、
前記本体との間にシート錠剤のシート部を挟持すると共に、前記第１開口および第２開口それぞれに対向する位置に前記シート錠剤の封入部を両側から保持するための第１保持部および第２保持部を有する錠剤設置ガイドと、
前記本体の第１開口または第２開口から落下した錠剤を収容すると共に錠剤の取出口を有する薬受けと、
を備えた錠剤取出補助具。
【請求項５】
前記錠剤設置ガイドの第１保持部は丸形シート錠剤設置用であり、丸形状の錠剤の複数の大きさ（径）に対応できるよう中央側から周辺側にかけて拡がる扇形の開口形状を有し、前記第２保持部は細長いシート錠剤設置用であり、細長い開口形状を有する、
請求項４に記載の錠剤取出補助具。
【考案の詳細な説明】
【技術分野】
【０００１】  本考案は、薬の錠剤をＰＴＰ（Ｐｒｅｓｓ  Ｔｈｒｏｕｇｈ  Ｐａｃｋａｇｅ）シートから取り出すための錠剤取出補助具に関する。
【背景技術】
【０００２】  錠剤をＰＴＰシートから取り出すのは案外手間がかかるものである。特に、小さくて変形の錠剤の取り出しには一般の人でも失敗して落としたりすることがある。また、近年、一人暮らしの高齢者も増加しており、複数の薬を服用されている。また、手の不自由な方もいる。そのような方にも一般の人にも気軽に、ＰＴＰシートから簡単に錠剤を取り出すことのできる補助具があれば、ＱＯＬ（生活の質）が向上する。【０００３】  現在、この種の錠剤取出補助具は何種類か販売されているが、操作性や形状が必ずしも満足できるものではなく、より簡単で手軽な器具が望まれている。
【考案の開示】
【考案が解決しようとする課題】
【０００４】  錠剤の形状は様々であり、大きさも違う。また、シート状の錠剤の取出しは勿論、一般に複数の薬を服用されている人は、毎回分でシートカットして保管するのが一般的であり、シートカット錠剤でも取出し可能でなければならない。【０００５】  本考案はかかる問題点に鑑みてなされたもので、その目的は、簡易な構造で、操作性よく錠剤の取り出しができる錠剤取出補助具を提供することにある。
【課題を解決するための手段】
【０００６】  本考案の第１の錠剤取出補助具は、錠剤落し用の開口を有する本体と、本体との間にシート錠剤のシート部を挟持すると共に、開口に対向する位置にシート錠剤の封入部を両側から保持するための保持部を有する錠剤設置ガイドと、本体の開口から落下した錠剤を収容すると共に錠剤の取出口を有する薬受けと、を備えたものである。【０００７】  錠剤設置ガイドの保持部は、具体的には、丸形シート錠剤設置用であり、丸形状の錠剤の複数の大きさ（径）に対応できるよう中央側から周辺側にかけて拡がる扇形の開口形状を有している、あるいは細長いシート錠剤設置用であり、細長い開口形状を有するものである。【０００８】  錠剤設置ガイドの保持部の縁部には順テーパ状の傾斜面を有することが好ましい。【０００９】  薬受けと本体とは一体化されていてもよく、全体の形状としては角Ｒ形状若しくは円筒形状とすることが好ましい。【００１０】  本考案の第２の錠剤取出補助具は、錠剤落し用の第１開口および第２開口を有する本体と、本体との間にシート錠剤のシート部を挟持すると共に、第１開口および第２開口それぞれに対向する位置にシート錠剤の封入部を両側から保持するための第１保持部および第２保持部を有する錠剤設置ガイドと、本体の第１開口または第２開口から落下した錠剤を収容すると共に錠剤の取出口を有する薬受けと、を備えたものである。具体的に、第１保持部は丸形シート錠剤設置用であり、丸形状の錠剤の複数の大きさ（径）に対応できるよう中央側から周辺側にかけて拡がる扇形の開口形状を有し、第２保持部は細長いシート錠剤設置用であり、細長い開口形状を有する。【００１１】  本考案の錠剤取出補助具では、シート部を錠剤設置ガイドと本体との間の隙間に入れると共に封入部を保持部に保持させることにより、シート錠剤を錠剤設置ガイドに設置する。このように錠剤取出補助具にシート錠剤を設置したのちは、封入部の上部を指で押す。これによりシート錠剤の封入部から錠剤が下方に押し出されて薬受け内に落下する。薬受け内の錠剤は本体を斜めに傾けることにより取出口から他の容器または手に容易に移すことができる。
【考案の効果】
【００１２】  本考案の錠剤取出補助具によれば、錠剤設置ガイドにシート錠剤を設置したのち指で押し出すことにより錠剤を取り出すようにしたので、構造が簡単になり、錠剤取り出しの操作性が向上する。
【図面の簡単な説明】
【００１３】
【図１】本考案の一実施の形態に係る錠剤取出補助具の構成を表す斜視図である。
【図２】図１の錠剤取出補助具の分解斜視図である。
【図３】図１の錠剤取出補助具の平面構成を表す図である。
【図４】図１の錠剤取出補助具の要部の断面図である。
【図５】図１の錠剤取出補助具の使用状態を説明するための斜視図である。
【図６】図１の錠剤取出補助具の使用状態を説明するための斜視図である。
【図７】図１の錠剤取出補助具の使用状態を説明するための断面図である。
【図８】図１の錠剤取出補助具の使用状態を説明するための断面図である。
【図９】本考案の第１変形例を表す図である。
【図１０】第２変形例を表す図である。
【図１１】第３変形例を表す図である。
【図１２】第４変形例を表す図である。
【図１３】比較例に係る錠剤取出補助具の構成を表す斜視図である。
【図１４】図１３の錠剤取出補助具の薬ケースの分離状態を表す斜視図である。
【図１５】図１３の錠剤取出補助具の問題点を説明するための図である。
【図１６】図１３の錠剤取出補助具の問題点を説明するための図である。
【考案を実施するための最良の形態】
【００１４】  以下、本考案の実施の形態について図面を参照して説明する。【００１５】  図１は本考案の一実施の形態に係る錠剤取出補助具１の構成を表している。この錠剤取出補助具１は、ＰＴＰシートから指の押圧により錠剤（薬）を取出すための補助具であって、丸形状のシート錠剤だけではなく小さく細長いシート錠剤の取り出しにも用いられる。シート錠剤はカットしたもの（カットシート）であってもよい。【００１６】  この錠剤取出補助具１は樹脂材料により構成されたものであり、蓋状の本体１１と、この本体１１上に設けられた錠剤設置ガイド１２と、本体１１に取り外し可能に一体化された薬受け１３とを備えている。【００１７】  本体１１には、後述のように指で押し出された錠剤を落下させるための２つの開口（第１開口１１Ａ，第２開口１１Ｂ）が設けられている。【００１８】  錠剤設置ガイド１２と本体１１との間には隙間１２Ｇが設けられており、この隙間１２Ｇに丸形状シート錠剤１４（図５Ａ）のシート部１４ａまたは小さく細長いシート錠剤１５（図５Ｂ）のシート部１５ａが挟持されるようになっている。錠剤設置ガイド１２には、第１開口１１Ａに対向する位置に丸形状のシート錠剤１４の封入部１４ｂを両側から保持するための保持部（第１保持部１２Ａ）、また第２開口１１Ｂに対向する位置に細長いシート錠剤１５の封入部１５ｂを両側から保持するための保持部（第２保持部１２Ｂ）がそれぞれ設けられている。なお、錠剤設置ガイド１２は図２Ａに示したように第１保持部１２Ａおよび第２保持部１２Ｂを除く部分において本体１１に接着されている。【００１９】  薬受け１３には、本体１１の第一開口１１Ａまたは第２開口１１Ｂから落下し収容した錠剤を取出すための取出口１３Ａが設けられている。この薬受け１３は図２Ｂに示したように本体１１に対して着脱自在に嵌め込まれる。通常は本体１１を薬受け１３に装着した状態で使用するものであるが、万一、シートが本体１１と錠剤設置ガイド１２との間に絡まったときには図２Ｂのように分離してシートを取り出せばよい。【００２０】  図３Ａは錠剤取出補助具１の平面形状を表すものである。本体１１の第１開口１１Ａは、中央側から周辺側にかけて拡がる扇形状をなしている。錠剤設置ガイド１２の保持部１２Ａはこの第１開口１１Ａに沿った開口形状を有している。この扇形状の保持部１２Ａにより、錠剤取出補助具１では丸形形状の錠剤封入部の大きさ（径）（例えば、７．５ｍｍ〜１１ｍｍ）に無段階に対応できるようになっている。【００２１】  一方、本体１１の第２開口１１Ｂは均一な径の大きさ（例えば６．５ｍｍ×１２ｍｍ）を有している。錠剤設置ガイド１２の保持部１２Ｂはこの第２開口１１Ｂに沿った長円形の開口形状を有している。これによりこの錠剤取出補助具１では最も取出しにくい細長い形状の錠剤も取り出しができるようになっている。【００２２】  錠剤設置ガイド１２の第１保持部１２Ａおよび第２保持部１２Ｂのそれぞれの内側（周縁）には図４に拡大して表すように、順テーパ状の傾斜面Ｓが設けられており、この傾斜面Ｓにより錠剤の取り出し時において指をしっかりと下部まで圧迫できるようになっている。【００２３】  図３Ｂは錠剤取出補助具１への��ート錠剤設置状況を表すものである。保持部１２Ａでは大小２種類の大きさの丸形シート錠剤１４が、保持部１２Ｂでは細長い形状のシート錠剤１５がそれぞれ適用可能であることが分かる。以下、具体的にこの錠剤取出補助具１の使用方法について説明する。【００２４】  まず、丸型形状のシート錠剤１４の場合には、図５Ａに示したように、シート部１４ａを錠剤設置ガイド１２と本体１１との間の隙間１２Ｇに入れると共に、封入部１４ｂを第１保持部１２Ａに保持させる。細長いシート錠剤１５の場合には、図５Ｂに示したようにシート部１５ａを隙間１２Ｇに入れると共に、封入部１５ｂを第２保持部１２Ｂに保持させる。カットシートも同様であり、図６Ａに丸型形状の場合、図６Ｂに細長い形状の場合をそれぞれ示す。【００２５】  上記のように錠剤取出補助具１にシート錠剤を設置したのちは、図７Ａおよび図７Ｂに示したようにシート錠剤の封入部１４ｂ（１５ｂ）を指で押す。これにより封入部１４ｂ（１５ｂ）から錠剤Ｐが下方に押し出されて薬受け１３内に落下する。このとき第１保持部１２Ａ（保持部１２Ｂ）の内側には傾斜面Ｓが設けられており、この傾斜面Ｓに沿って指をしっかりと下部まで押し下げることができる。薬受け１３内の錠剤Ｐは図８に示したように本体１１を傾けることにより取出口１３Ａから他の容器１６（または手）に容易に移すことができる。これらの一連の作業は片手で操作することも可能であり、指で操作するために錠剤Ｐを破損することもない。【００２６】  図１３は比較例としての従来の錠剤取出補助具１００の構成を表したものである。この錠剤取出補助具１００はホッチキス型のものであり、本体１０１に設けたアーチガイド１０２の押部１０３を押して押出し棒１０４によりシート状またシートカット状の錠剤を下方に押し出すものである。落下した錠剤は図１４に示したように本体１０１から薬ケース１０５をスライドさせて取り出すようになっており、両手操作が前提となっている。【００２７】  このような構成の錠剤取出補助具１００は、シート状錠剤の場合には比較的安定して取り出すことができるものの、構造が複雑であるためシートカット状錠剤の場合には錠剤を安定して取出すことができないという問題があった。すなわち、図１５Ａに示したようにシートカット錠剤１０６を設置して押部１０３を押して錠剤を取り出そうと試みた場合に、ＰＴＰシートが押出し棒１０４とアーチガイド１０２に絡まって取り出しができなくなってしまう（図１５Ｂ）。また、押出し棒１０４がプラスチック製で硬くて細いため錠剤Ｐが破損する（割れる）場合がある（図１６Ａ，図１６Ｂ）。なお、図１６Ａは図１５Ａの要部断面構造、図１６Ｂは図１５Ｂの要部断面構造をそれぞれ表している。【００２８】  これに対して本実施の形態の錠剤取出補助具１は、指で押して錠剤を取り出すものであり、錠剤Ｐが破損する虞が無い。また、この錠剤取出補助具１は、小型・軽量で単純な構造としたものであり、安価に量産でき、旅行など携帯に便利である。更に、操作が簡単であり、片手でも操作することができ、多少手の不自由な方であっても使うことができる。更には、シート状錠剤だけでなくシートカット状錠剤にも対応可能である。【００２９】  以上実施の形態を挙げて本考案を説明したが、本考案はこれに限定されるものではなく、種々の変形が可能である。以下、本考案の他の実施の形態についても説明する。なお、上記実施の形態と同一の構成部品には同一符号を付してその説明は省略する。【００３０】  図９に示した錠剤取出補助具２は薬受けを本体１１に一体化したものである。ここでは、万一ＰＴＰシートがガイドと本体１１との間に絡まった場合に備えて、内部に指が入るように図１の例に比べて錠剤取出口１３Ａが大きくなっている。図１０の錠剤取出補助具３は、図１の本体１１および薬受け１３を円筒形状としたものである。図１１の錠剤取出補助具４は、丸形形状の錠剤に用途を絞ったものである。但し、細長い錠剤であってもやや大きめであれば取り出し可能であり、一部の変形錠剤を除けば用途は広い。図１２の錠剤取出補助具５は、上記錠剤取出補助具３の薬受けを本体１１に一体化したものであり、図９と同様に万一  ＰＴＰシートがガイドと本体１１との間に絡まった場合に備えて、内部に指が入るように錠剤取出口１３Ａが大きくなっている。【００３１】  錠剤取出補助具２〜５のいずれも錠剤を指で取り出すものであり、操作が簡単であり、小型軽量で単純な構造であって安価に量産できるなどの効果は、錠剤取出補助具１と同様である。
【符号の説明】
【００３２】  １…錠剤取出補助具、１１…本体、１１Ａ…第１開口、１１Ｂ…第２開口、１２…錠剤設置ガイド、１２Ａ…第１保持部、１２Ｂ…第２保持部、１３…薬受け、１３Ａ…取出口  １４…丸形状シート錠剤、１４ａ…シート部、１４ｂ…封入部、１５…細長いシート錠剤、１５ａ…シート部、１５ｂ…封入部、１２Ｇ…隙間、Ｓ…傾斜面
【図１】
0003197589.tif 000003
【図２】
0003197589.tif 000004
【図３】
0003197589.tif 000005
【図４】
0003197589.tif 000006
【図５】
0003197589.tif 000007
【図６】
0003197589.tif 000008
【図７】
0003197589.tif 000009
【図８】
0003197589.tif 000010
【図９】
0003197589.tif 000011
【図１０】
0003197589.tif 000012
【図１１】
0003197589.tif 000013
【図１２】
0003197589.tif 000014
【図１３】
0003197589.tif 000015
【図１４】
0003197589.tif 000016
【図１５】
0003197589.tif 000017
【図１６】
0003197589.tif 000018